(57)【要約】【課題】把手を寝かせた状態でもダスターモップヘッドを回転させて戻すことが可能な掃除用モップを提供すること。【解決手段】下面に吸着シート１などの塵埃や汚れを吸着する清掃部材を備えたダスターモップヘッド２とこれに取り付けられた棒状の把手３とからなる掃除用モップであって、把手３の下端３ａとダスターモップヘッド２とがコイル状のばね４または蛇腹体からなる回転結合体を介在して接続され、回転結合体の少なくとも一部において、回転結合体を少なくとも両側より挟んで保持する溝付き円板５などの回転保持体を設け、回転結合体が回転保持体の中で回転可能に構成されている。【選択図】図１
2016195696.tif 000002
【特許請求の範囲】
【請求項１】
下面に塵埃や汚れを吸着する清掃部材を備えたダスターモップヘッドと該ダスターモップヘッドに取り付けられた棒状の把手とからなる掃除用モップであって、
前記把手の下端と前記ダスターモップヘッドとがコイル状のばねまたは蛇腹体からなる回転結合体を介在して接続され、前記回転結合体の少なくとも一部において、該回転結合体を少なくとも両側より挟んで保持する回転保持体を設け、前記回転結合体が前記回転保持体の中で回転可能に構成されていることを特徴とする掃除用モップ。
【請求項２】
前記回転結合体と前記ダスターモップヘッドとの接続部分において、前記回転結合体の中心軸が前記ダスターモップヘッドの底面に対して略垂直であることを特徴とする請求項1に記載の掃除用モップ。
【請求項３】
前記回転保持体は、筒体であることを特徴とする請求項１または請求項２に記載の掃除用モップ。
【請求項４】
前記筒体は、円筒体であることを特徴とする請求項３に記載の掃除用モップ。
【請求項５】
前記回転保持体は２つ以上の筒体を結合して構成され、前記筒体の中心軸が成す角度が調整可能に構成されていることを特徴とする請求項１に記載の掃除用モップ。  
【請求項６】
前記筒体の１つは前記把手の下端に回転可能に取り付けられ、前記筒体の他の１つは前記ダスターモップヘッドに回転可能に取り付けられていることを特徴とする請求項５に記載の掃除用モップ。
【請求項７】
前記把手に取り付け及び取り外し可能な把手保持体を前記ダスターモップヘッドの上部に設置し、該把手保持体は前記把手に取り付けられたときに前記把手と共に前記ダスターモップヘッドの前後方向に回動可能に構成されていることを特徴とする請求項１または２に記載の掃除用モップ。
【請求項８】
前記筒体は第一の筒体と、該第一の筒体の外周部のいずれかに結合した第二の筒体とからなり、前記第一および第二の筒体の中心軸が成す角度が調整可能および固定可能に構成され、前記第一の筒体の上端を前記把手の下端部分に保持する手段を有し、前記回転結合体は前記第一の筒体の上端から第二の筒体との結合部および第二の筒体を通過して前記ダスターモップヘッドに接続し、前記回転結合体と前記ダスターモップヘッドとが着脱可能に構成され、前記第一の筒体の下端と前記ダスターモップヘッドとが着脱可能に構成されていることを特徴とする請求項３または４に記載の掃除用モップ。
【請求項９】
前記回転結合体はコイル状のばねであることを特徴とする請求項１乃至８のいずれか1項に記載の掃除用モップ。
【発明の詳細な説明】
【技術分野】
【０００１】
本発明は、下面に塵埃や汚れを吸着する清掃部材を備えたダスターモップヘッドと棒状の把手を備えた掃除用モップに関する。
【背景技術】
【０００２】
一般に、床の塵埃や汚れなどを拭き取るために、棒状の把手の先に平板状のヘッド、すなわちダスターモップヘッドを取り付けた掃除用モップが使用されている。ダスターモップヘッドの下面には塵埃や汚れを拭取る清掃部材が設けられており、その清掃部材として、特許文献１に記載のような布地とパイルを使用した掃除用モップや、特許文献２に記載のような埃や塵を吸着する交換可能なシートを装着した掃除用モップが使用されている。
【先行技術文献】
【特許文献】
【０００３】
【特許文献１】特許第４７５７０４８号公報
【特許文献２】特開２００７−３７９８２号公報
【発明の概要】
【発明が解決しようとする課題】
【０００４】
従来、このような掃除用モップを使用して床などを掃除する場合、ダスターモップヘッドの前部に塵埃がたまるため、ダスターモップヘッドを前方に移動させた後そのまま後ろに引くと塵埃が線状に床に残ってしまうという問題がある。そのため、床をきれいに清掃する場合、ダスターモップヘッドを前方に押した後、そのまま引いて戻すのではなく、ダスターモップヘッドを回転させて戻し、常に進行方向がダスターモップヘッドの同じ側になるように動かす必要がある。従来の掃除用モップでも、棒状の把手を立てた状態で清掃する場合は、把手を回すことにより、ダスターモップヘッドを自在に回転できる。しかし、ベッドや家具の下などのように、把手を寝かせて作業する場合には、ダスターモップヘッドを回転させて戻すことができなかった。そこで従来の掃除用モップを使用した場合、ベッドや家具の下の奥の壁際に塵埃を押し付けてしまい、塵埃を十分に除去できなかった。
【０００５】
そこで、本発明は、係る問題を解決するためになされたものであり、把手を寝かせた状態でもダスターモップヘッドを回転させて戻すことが可能な掃除用モップを提供することを目的とする。
【課題を解決するための手段】
【０００６】
第１の観点では、本発明は、下面に塵埃や汚れを吸着する清掃部材を備えたダスターモップヘッドと該ダスターモップヘッドに取り付けられた棒状の把手とからなる掃除用モップであって、前記把手の下端と前記ダスターモップヘッドとがコイル状のばねまたは蛇腹体からなる回転結合体を介在して接続され、前記回転結合体の少なくとも一部において、該回転結合体を少なくとも両側より挟んで保持する回転保持体を設け、前記回転結合体が前記回転保持体の中で回転可能に構成されていることを特徴とする掃除用モップを提供する。
【０００７】
本観点の発明の掃除用モップでは、把手を寝かせた状態で回転保持体の中にダスターモップヘッドと把手を繋いでいるコイル状のばねまたは蛇腹体からなる回転結合体が挟まれる状態にして、この状態で把手を回転することによりダスターモップヘッドが回転するので、把手を寝かせた状態でもダスターモップヘッドを回転させて戻すことが可能となる。回転保持体としては、例えば、その直径方向にばねまたは蛇腹体をその中に保持可能な断面がコの字またはＵ字状の深い溝を有し、その溝の底面にばねまたは蛇腹体が貫通可能な穴を有する円柱体などを用いることができる。また、回転保持体は回転結合体の周囲を囲むように保持する筒体であってもよい。回転保持体は把手およびダスターモップヘッドとは独立して回転可能に保持される。
【０００８】
第２の観点では、本発明は、第1の観点の掃除用モップにおいて、前記回転結合体と前記ダスターモップヘッドとの接続部分において、前記回転結合体の中心軸が前記ダスターモップヘッドの底面に対して略垂直であることを特徴とする。このような構成により、回転結合体の回転する力がダスターモップヘッドに伝わりやすくなり、ダスターモップヘッドのよりスムーズな回転が可能となる。
【０００９】
第３の観点では、本発明は、前記第１または第２の観点の掃除用モップにおいて、前記回転保持体は、筒体であることことを特徴とする。本観点の発明では、回転保持体をコイル状のばねまたは蛇腹体からなる回転結合体の周囲を囲むように保持する筒体で構成することにより、回転結合体の望ましくない方向への変形を抑え、ダスターモップヘッドを押す力と回転結合体を回転しダスターモップヘッドを回転させる力をより有効にダスターモップヘッドに加えることができる。この場合、筒体の内側の形状はその中で回転結合体が自由に回転できるように定め、筒体の長さは回転結合体の長さに応じて設計することができる。また、筒体は把手の傾きに応じてその傾きが調整できるようにダスターモップヘッドに設置してもよい。
【００１０】
第４の観点では、本発明は、前記第３の観点の掃除用モップにおいて、前記筒体は、円筒体であることを特徴とする。回転結合体を構成するコイル状のばねまたは蛇腹体は一般的には外形が円筒状であるので、回転保持体をその内部形状を回転結合体の外形に合わせた円筒体とすることにより、回転がより安定化する。また円筒体は製造も容易で低コストで製造可能である。
【００１１】
第５の観点では、本発明は、前記第１または第２の観点の掃除用モップにおいて、前記回転保持体は２つ以上の筒体を結合して構成され、前記筒体の中心軸が成す角度が調整可能に構成されていることを特徴とする。このような構成により、把手を立てた状態から寝かせた状態の間の任意の角度で連続的に清掃作業を行うことが容易となる。この場合、ダスターモップヘッドへ適度な押力を加えられるようにするためには、２つの筒体を接続する部分の構造は、その角度を変化させる場合に適度の力を必要とし、また適度の力でその角度を保持できるような構造が望ましい。２つの筒体は、把手及びダスターモップヘッドから独立して切り離されている構成でもよく、または把手またはダスターモップヘッドの少なくとも一方に回転可能に保持される構成でもよい。
【００１２】
第６の観点では、本発明は、前記第５の観点の掃除用モップにおいて、前記筒体の１つは前記把手の下端に回転可能に取り付けられ、前記筒体の他の１つは前記ダスターモップヘッドに回転可能に取り付けられていることを特徴とする。このように、例えば、２つの筒体の内、上側の筒体の上端が把手の下端に、下側の筒体の下端がダスターモップヘッドにそれぞれ回転可能に取り付けられることにより、ダスターモップヘッドと把手との間の接続がより安定化し、ダスターモップヘッドにより強い押力を加えることが可能となる。この場合でも、２つの筒体を接続する部分の構造は、その角度を変化させる場合に適度の力を必要とし、また適度の力でその角度を保持できるような構造が望ましい。
【００１３】
第７の観点では、本発明は、前記第１または第２の観点の掃除用モップにおいて、前記把手に取り付け及び取り外し可能な把手保持体を前記ダスターモップヘッドの上部に設置し、該把手保持体は前記把手に取り付けられたときに前記把手と共に前記ダスターモップヘッドの前後方向に回動可能に構成されていることを特徴とする。本観点の発明は、把手を寝かせて作業する場合以外は、把手とダスターモップヘッドを回転結合体を介さないで把手保持体で直接的に結合して使用できるようにすることを目的としている。回転結合体によりダスターモップヘッドを回転させて戻すことが必要とされるのはベッドや家具の下などのように、把手を寝かせて作業する必要がある場合であり、それ以外の把手を立てて作業する場合は従来の掃除用モップのようにダスターモップヘッドを自由に回転できる。そこで、本観点の発明では、把手保持体を把手に取付ることにより従来の掃除用モップと同様な状態で使用可能としている。これにより把手に加える力をそのままダスターモップヘッドに加えることができる。また、把手保持体を把手と共にダスターモップヘッドの前後方向に回動可能に構成することにより、把手を傾けても使用できる。
【００１４】
第８の観点では、本発明は、前記第１または第２の観点の掃除用モップにおいて、前記回転保持体は第一の筒体と、該第一の筒体の外周部のいずれかに結合した第二の筒体とからなり、前記第一および第二の筒体の中心軸が成す角度が調整可能および固定可能に構成され、前記第一の筒体の上端を前記把手の下端部分に保持する手段を有し、前記回転結合体は前記第一の筒体の上端から第二の筒体との結合部および第二の筒体を通過して前記ダスターモップヘッドに接続し、前記回転結合体と前記ダスターモップヘッドとが着脱可能に構成され、前記第一の筒体の下端と前記ダスターモップヘッドとが着脱可能に構成されていることを特徴とする。本観点の発明では、把手を寝かせて清掃するときは、把手の下端に接続された回転結合体は第一の筒体の上端から第二の筒体との結合部および第二の筒体を通過してダスターモップヘッドに接続して使用し、把手を立てて清掃するときは、回転結合体をダスターモップヘッドから外して、第一の筒体の下端をダスターモップヘッドに接続して使用する。すなわち、把手を立てて清掃するときは、把手とダスターモップヘッドを回転結合体を介さないで第一の筒体で直接的に結合して使用できるようにするものである。
【００１５】
第９の観点では、本発明は、前記第１乃至第８の観点の掃除用モップにおいて、前記回転結合体はコイル状のばねであることを特徴とする。本発明においては回転結合体としてはコイル状のばねまたは蛇腹体のいずれも使用可能であるが、実験においてはコイル状のばねを使用した場合の方がダスターモップヘッドの回転がよりスムーズであった。
【発明の効果】
【００１６】
上記のように、本発明により、把手を寝かせた状態でもダスターモップヘッドを回転させて戻すことが可能な掃除用モップが得られる。
【図面の簡単な説明】
【００１７】
【図１】実施例１に係る掃除用モップを示す図であり、図１（ａ）は把手を立てて使用する場合の斜視図、図１（ｂ）は把手を寝かせて使用する場合の斜視図であり、図１（ｃ）は把手を寝かせて使用する場合の部分断面図。
【図２】本発明の回転結合体として使用するコイル状のばねと蛇腹体の一例を示す正面図。
【図３】実施例２に係る掃除用モップを示す斜視図。
【図４】実施例３に係る掃除用モップを示す図であり、図４（ａ）は掃除用モップの斜視図、図４（ｂ）は回転結合体とダスターモップヘッドとの接続部の部分拡大断面図。
【図５】実施例４に係る掃除用モップを示す斜視図。
【図６】実施例５に係る掃除用モップを示す図であり、図６（ａ）は掃除用モップの斜視図、図６（ｂ）は回転保持体の部分断面拡大図。
【発明を実施するための形態】
【００１８】
以下、図面を参照して本発明のダスターモップヘッドを実施例により詳細に説明する。なお、図面の説明において同一の要素には同一符号を付し、その重複した説明を省略する。
【実施例１】
【００１９】
図１は、実施例１に係る掃除用モップを示す図であり、図１（ａ）は把手を立てて使用する場合の斜視図、図１（ｂ）は把手を寝かせて使用する場合の斜視図であり、図１（ｃ）は把手を寝かせて使用する場合の部分断面図である。図２は本発明の回転結合体として使用するコイル状のばねと蛇腹体の一例を示す正面図である。図１（ａ）において、本実施例の掃除用モップ１０は、下面に塵埃や汚れを吸着する清掃部材である吸着シート１を備えたダスターモップヘッド２とダスターモップヘッド２に取り付けられた棒状の把手３とからなる掃除用モップである。ダスターモップヘッド２は、略長方形の平面形状を有している。塵埃を床に残さないためにはダスターモップヘッド２を矢印で示した前方方向に押して使用し、戻す場合はダスターモップヘッド２を１８０度回転して戻す。この場合、把手３を回転するとばね４が回転し、ばね４の下端に固定されたダスターモップヘッド２が回転する。
【００２０】
把手３の下端３ａとダスターモップヘッド２とがコイル状のばね４からなる回転結合体を介在して接続されている。ダスターモップヘッド２の上には、回転保持体として溝付き円板５が設置されている。溝付き円板５はその中にばね４をその両側より挟んで保持可能な断面がコの字またはＵ字状の深い溝５ａを有し、ばね４は溝５ａの中で回転可能に保持されている。図１（ｃ）に示すように、その溝５ａの底面にばね４が貫通可能な穴を有している。また、溝付き円板５の下側にはダスターモップヘッド２に固定された固定円板６が設置され、ばね４の下端は固定円板６または固定円板６に開けた穴を通過してダスターモップヘッド２に直接固定されている。ばね４の上端は把手３の下端３ａに固定されている。溝付き円板５と固定円板６との間は互いに回転可能に保持されている。例えば、両者の接触面を滑りやすい材質とし、一方に円周状の突起を設け、他方にその突起に対応した円周状の溝を設けてはめ合わせること、または、ボールベアリングを介して結合することなどの構成をとることができる。
【００２１】
本発明の回転結合体としては、図２に示すようにコイル状のばね４と蛇腹体４２のいずれを用いてもよい。コイル状のばね４の中心軸は４１ａ、蛇腹体４２の中心軸は４２ａである。回転結合体は把手の下端とダスターモップヘッドとを接続し、把手を構成する棒の中心軸を中心とする回転力をダスターモップヘッドに伝達し、ダスターモップヘッドと回転結合体との接続点付近を中心としてダスターモップヘッドをその底面内で回転させるものである。コイル状のばね４を回転結合体として使用する場合は、コイル間隔が狭く伸ばす方向に力が必要な引張りばねのタイプとコイル間隔が広く縮める方向に力が必要な圧縮ばねのタイプのいずれも使用可能であるが、ダスターモップヘッドの重さや大きさに応じてばねの形状および強さ（ばね定数）を選択する。ダスターモップヘッドが小さく軽い場合から大きく重い場合まで含めると、使用するコイル状のばねの径は０．３〜５ｃｍ程度、長さは１〜２０ｃｍ程度の範囲で選択できる。材質は一般的な金属やプラスチック等のばね材が使用できる。蛇腹体は、例えば、金属やプラスチック等からなるリング状の物体をシート状の物体で接続して構成される。この場合のリング部分４２ｂ、およびそれを接続する接続部分４２ｃの材質、形状もコイル状のばねの場合と同様にダスターモップヘッドの重さや大きさに応じて選択される。
なお、実施例１においては、コイル状のばね４とダスターモップヘッド２との接続部分において、ばね４の中心軸４１ａがダスターモップヘッド２の底面に対して略垂直となるように設定されている。
【００２２】
ベッドや家具の下などのように、把手を寝かせて作業する場合には、図１（ｂ）に示すように、把手３を回転するとばね４が回転し、その力がばね４の下端に固定されたダスターモップヘッド２に伝わり、ダスターモップヘッド２が回転する。これにより、把手を寝かせた状態でもダスターモップヘッドを回転させて戻すことが可能となる。
【実施例２】
【００２３】
図３は、実施例２に係る掃除用モップを示す斜視図である。図３において、本実施例の掃除用モップ２０は、実施例１の掃除用モップと同様に、下面に塵埃や汚れを吸着する清掃部材である吸着シート１を備えたダスターモップヘッド２とダスターモップヘッド２に取り付けられた棒状の把手３とからなる掃除用モップである。図示されていないが、把手３の下端とダスターモップヘッド２とはコイル状のばねまたは蛇腹体からなる回転結合体を介在して接続されている。
【００２４】
但し、本実施例においては、回転保持体は回転結合体の周囲を囲むように保持する円筒状の筒体、すなわち円筒体１５で構成している。円筒体１５は把手３に回転可能に保持されている。具体的な構成例としては、例えば円筒体１５の内周にリング状の突起部を設け、把手３の外周に上記の突起部に対応した溝を設けて両者を互いに結合する方法などがある。また、円筒体１５は、ダスターモップヘッド２上に回転可能に保持された回転円板１６上に固定された円筒保持体１７に設けたピン１８により保持され、円筒体１５および把手３を前後方向に回動することが可能となるように構成されている。ピン１８は円筒体１５または円筒保持体１７の一方に固定され、他方に設けた穴の中で回転するように構成される。回転円板１６は、中央に回転結合体が貫通する穴を設けている。回転円板１６を回転可能とするために、例えば、その下にダスターモップヘッド２に固定された固定円板を設け、、実施例１と同様な方法で、回転円板１６が固定円板上で回転できるように構成してもよい。本実施例においても、回転結合体の上端は把手３の下端に固定され回転結合体の下端は固定円板または固定円板に開けた穴を通過してダスターモップヘッド２に直接固定されている。
【００２５】
本実施例においても、ベッドや家具の下などのように、把手を寝かせて作業する場合には、把手３を回転すると回転結合体が回転し、その力が回転結合体の下端に固定されたダスターモップヘッド２に伝わり、ダスターモップヘッド２が回転する。これにより、把手を寝かせた状態でもダスターモップヘッドを回転させて戻すことが可能となる。なお、把手３を寝かせた状態で、円筒体１５が回転結合体に接触して変形させることにより余分な力を及ぼさないようにするために、円筒体１５の下部に回転結合体の変形を避けるための切り欠け部を設けてもよい。
【実施例３】
【００２６】
図４は、実施例３に係る掃除用モップを示す図であり、図４（ａ）は掃除用モップの斜視図、図４（ｂ）は回転結合体とダスターモップヘッドとの接続部の部分拡大断面図である。図４において、本実施例の掃除用モップ３０は、実施例１の掃除用モップと同様に、下面に塵埃や汚れを吸着する清掃部材である吸着シート１を備えたダスターモップヘッド２とダスターモップヘッド２に取り付けられた棒状の把手３とからなる掃除用モップである。但し、本実施例の掃除用モップ３０においては、回転保持体２５は２つの筒体、すなわち円筒体２６と円筒体２７を結合して構成され、円筒体２６と円筒体２７の中心軸が成す角度が調整可能に構成されている。把手の下端に保持される円筒体２６は下側に円筒体２７と結合するため円筒部より突出した結合部２６ａを有し、ダスターモップヘッド２に保持される円筒体２７は上側に円筒体２６と結合するため円筒部より突出した結合部２７ａを有している。両側の結合部２６ａの内側にそれぞれ結合部２７ａを配置し、結合部２６ａと結合部２７ａはそれぞれピン２５ａにより円筒体２６と円筒体２７の中心軸が成す角度が可変できるように結合されている。
【００２７】
図４（ｂ）に示すように、円筒体２７はその下部にダスターモップヘッド２上に固定され円筒体２７の外径より大きな内径を有する固定円筒２８の内周に設置された突起部２８ｃにはめ合うような溝２７ｃを有し、円筒体２７は固定円筒２８の内部で回転可能に保持される。また、本実施例において、回転結合体としてコイル状のばね２４を使用し、ばね２４の上端は把手３の下端に固定され、ばね２４の下端は固定板２９に固定されている。固定板２９は、接着、ねじ固定等によりダスターモップヘッド２の上面に固定されている。ばね２４の上端の把手３の下端への固定においても固定板を介在させてもよい。または、固定板を使用しないで、ばね２４を直接、把手３やダスターモップヘッド２に固定してもよい。
【００２８】
本実施例の掃除用モップ３０においても、把手を寝かせた状態でもダスターモップヘッドを回転させて戻すことが可能となる。
【実施例４】
【００２９】
図５は、実施例４に係る掃除用モップを示す斜視図である。図５において、本実施例の掃除用モップ４０は、実施例１の掃除用モップと同様に、下面に塵埃や汚れを吸着する清掃部材である吸着シート１を備えたダスターモップヘッド２とダスターモップヘッド２に取り付けられた棒状の把手３とからなる掃除用モップである。また、実施例１と同様に、把手３の下端３ａとダスターモップヘッド２とがコイル状のばね４からなる回転結合体を介在して接続され、ダスターモップヘッド２の上には、回転保持体として溝付き円板５が設置されている。溝付き円板５はその中にばね４をその両側より挟んで保持可能な断面がコの字またはＵ字状の深い溝５ａを有し、ばね４は溝５ａの中で回転可能に保持されている。溝付き円板５の構造、配置や固定円板６（図５では省略）が設置されていること等、実施例１と同じ構造を有している。但し、本実施例の掃除用モップ４０においては、ダスターモップヘッド２の上部に設置された把手３に取り付け及び取り外し可能な把手保持体４５を有し、把手保持体４５は把手３に取り付けられたときに把手３と共にダスターモップヘッドの前後方向に回動可能に構成されている。
【００３０】
把手保持体４５は、図５に示すように、Ｕ字状のアーム４５ａと、ダスターモップヘッド２上に設置されたアーム４５ａの両端を回転可能に保持する留め具４５ｂと、アーム４５ａの中央に設置され、把手３をクランプするための把手固定部４５ｃから構成されている。把手固定部４５ｃは、把手３を両側から挟んで保持するものであるが、さらに把手３をアーム４５ａ側に押し込むために、把手３のアーム４５ａとは対向する側から把手３を押さえて固定する手段を設けてもよい。
【００３１】
本実施例においては、把手３を寝かさないで作業する場合、把手保持体４５の把手固定部４５ｃで把手３をクランプし、把手３をＵ字状のアーム４５ａと一緒にダスターモップヘッド２の前後方向に倒して使用することが可能となる。さらにこの場合、把手３への押力は、ばね４ではなく把手保持体４５を介してダスターモップヘッド２に伝えられるので、ダスターモップヘッド２により強い押力を加えることが可能となる。把手３を寝かして作業する場合は、把手３を把手保持体４５から外して、実施例１と同様に使用することにより、ダスターモップヘッドを回転させて戻すことが可能となる。
【実施例５】
【００３２】
図６は実施例５に係る掃除用モップを示す図であり、図６（ａ）は掃除用モップの斜視図、図６（ｂ）は本実施例に使用する回転保持体の部分断面拡大図である。図６（ａ）において、本実施例の掃除用モップ５０は、実施例１の掃除用モップと同様に、下面に塵埃や汚れを吸着する清掃部材である吸着シート１を備えたダスターモップヘッド２とダスターモップヘッド２に取り付けられた棒状の把手３とからなる掃除用モップである。また、把手３とダスターモップヘッド２とがコイル状のばね５４からなる回転結合体を介在して接続されている。
【００３３】
但し、本実施例においては、回転保持体は第一の円筒体５２と、第一の円筒体５２の外周部に結合した第二の円筒体５３とからなり、第一および第二の円筒体の中心軸が成す角度が略９０度となるように構成されている。第一の円筒体５２の上端部５２ａを把手３の下端部分に保持する手段として接続円筒５５を有し、第二の筒体５３の下端部５３ｂをダスターモップヘッド２に接続する手段として接続円筒５６を有し、第一の円筒体５２の下端部５２ｂをダスターモップヘッド２に接続する手段として接続円筒５７を有している。また、回転結合体であるばね５４は第一の円筒体５２の上端部５２ａから第二の円筒体との結合部分５８および第二の円筒体５３を通過して接続円筒５６に接続され、接続円筒５６を介してダスターモップヘッド２に接続されている。接続円筒５６をダスターモップヘッド２と着脱可能とすることにより、ばね５４とダスターモップヘッド２とが着脱可能に構成され、接続円筒５７をダスターモップヘッド２と着脱可能とすることにより、第一の円筒体５２の下端部５２ｂとダスターモップヘッド２とが着脱可能に構成されている。
【００３４】
ダスターモップヘッド２には接続円筒５６および５７を抜き差しして着脱可能に固定するための固定円筒５９が設置されている。接続円筒５５は第一の円筒体５２に対して回転可能に保持され、その一端は把手３に固定され、他端にはばね５４の上端が固定される。接続円筒５６は第二の円筒体５３に対して回転可能に保持され、その下端は固定円筒５９に着脱可能に固定され、上端にはばね５４の下端が固定される。
【００３５】
本実施例において、把手３を寝かして作業する場合は、図６のように接続円筒５６を固定円筒５９に差し込んで固定する。把手３を回転すると接続円筒５５を介してばね５４が回転し、接続円筒５６を介してダスターモップヘッド２が回転する。把手３を寝かさないで作業する場合は、接続円筒５６を固定円筒５９より外し、接続円筒５７を固定円筒５９に差し込んで固定する。これにより把手３はばね５４を介さないでダスターモップヘッド２に接続される。この場合、接続円筒５７と第一の円筒体５２に実施例３ののような円筒部より突出した結合部を設け、ピンにより両者を結合して接続円筒５７と第一の円筒体５２の成す角度がダスターモップヘッド２の前後方向に可変できるようにしてもよい。
【００３６】
以上のように、本発明による掃除用モップでは把手を寝かせた状態でもダスターモップヘッドを回転させて戻すことが可能となる。
【００３７】
なお、本発明は上記の実施例に限定されるものではないことは言うまでもなく、目的や用途に応じて設計変更可能である。例えば、ダスターモップヘッドの平面形状は楕円形などであってもよい。また、ダスターモップヘッドの底面の清掃部材としては、シートではなく布地やパイル等を使用してもよい。
【符号の説明】
【００３８】
１    吸着シート
２    ダスターモップヘッド
３    把手
３ａ  下端
４、２４、５４    ばね
５    溝付き円板
５ａ  溝
６、２８    固定円板
１５、２６、２７    円筒体
１６    回転円板
１７    円筒保持体
１８、２５ａ    ピン  
１０、２０、３０，４０、５０    掃除用モップ
２６ａ、２７ａ    結合部
２７ｃ  溝
２８ｃ  突起部
２９    固定板
４１ａ、４２ａ    中心軸
４２    蛇腹体
４２ｂ  リング部分
４２ｃ  接続部分
４５    把手保持体
４５ａ  アーム
４５ｂ  留め具
４５ｃ  把手固定部
５２    第一の円筒体
５２ａ  上端部
５２ｂ、５３ｂ  下端部
５３    第二の円筒体
５５、５６、５７    接続円筒
５８    結合部分
５９    固定円筒
【図１】
2016195696.tif 000003
【図２】
2016195696.tif 000004
【図３】
2016195696.tif 000005
【図４】
2016195696.tif 000006
【図５】
2016195696.tif 000007
【図６】
2016195696.tif 000008